(57)【要約】【課題】ＵＳＢコネクタ内に異常な電流が形成された場合に、ＵＳＢコネクタを保護することができる電子機器、電源アダプタ、および充電システムを提供する。【解決手段】第１のＵＳＢコネクタ５は、プラグケース８１と接続可能な金属のコネクタケース２１と、電力線８７と接続可能な第１の端子６１と、グランド線８９と接続可能な第２の端子９０とを含む。コネクタケース２１とグランド電源との間にヒューズＦ１が設けられる。【選択図】図１４
2016139295.tif 000002
【特許請求の範囲】
【請求項１】
充電ケーブルと接続可能な電子機器であって、
前記充電ケーブルは、電力線、グランド線、一端に設けられた金属製の第１のプラグケース、他端に設けられた金属製の第２のプラグケース、および前記第１のプラグケースおよび前記第２のプラグケースに接続され、かつ前記電力線および前記グランド線をシールドするシールド部材とを含み、前記第２のプラグケースは、電源アダプタに接続可能であり、
前記電子機器は、
前記充電ケーブルと接続可能な第１のコネクタを備え、
前記第１のコネクタは、
前記第１のプラグケースと接続可能な金属の外装ケースと、
前記電力線と接続可能な第１の端子と、
前記グランド線と接続可能な第２の端子とを含み、
前記外装ケースとグランド電源との間に設けられた過電流保護素子とを備えた電子機器。
【請求項２】
前記外装ケースと前記過電流保護素子の間のノードに接続された電源と、
前記ノードの電圧が閾値以上の場合に、前記外装ケースとグランドとの接続が切断されたことを通知する制御部とを備えた、請求項１記載の電子機器。
【請求項３】
前記充電ケーブルは、さらに、差動信号を構成する正の信号の伝送線、および差動信号を構成する負の信号の伝送線とを含み、
前記第１のコネクタは、
前記正の信号の伝送線と接続可能な第３の端子と、
前記負の信号の伝送線と接続可能な第４の端子とを含む、請求項１記載の電子機器。
【請求項４】
前記第１の端子は、前記第２の端子、前記第３の端子、前記第４の端子よりも、前記外装ケースとの距離が近い、請求項３記載の電子機器。
【請求項５】
前記充電ケーブルは、ＵＳＢケーブルであり、
前記第１のコネクタは、ＵＳＢコネクタである、請求項４記載の電子機器。
【請求項６】
前記過電流保護素子は、ヒューズである、請求項１記載の電子機器。
【請求項７】
前記過電流保護素子は、ポリスイッチである、請求項１記載の電子機器。
【請求項８】
充電ケーブルと接続可能な電源アダプタであって、
前記充電ケーブルは、電力線、グランド線、一端に設けられた金属製の第１のプラグケース、他端に設けられた金属製の第２のプラグケース、および前記第１のプラグケースおよび前記第２のプラグケースに接続され、かつ前記電力線および前記グランド線をシールドするシールド部材とを含み、前記第１のプラグケースは、電子機器に接続可能であり、
前記電源アダプタは、
前記充電ケーブルと接続可能な第２のコネクタを備え、
前記第２のコネクタは、
前記第２のプラグケースと接続可能な金属の外装ケースと、
前記電力線と接続可能な第１の端子と、
前記グランド線と接続可能な第２の端子とを含み、
前記外装ケースとグランド電源との間に設けられた過電流保護素子とを備えた、電源アダプタ。
【請求項９】
前記充電ケーブルは、さらに、差動信号を構成する正の信号の伝送線、および差動信号を構成する負の信号の伝送線とを含み、
前記第２のコネクタは、
前記正の信号の伝送線と接続可能な第３の端子と、
前記負の信号の伝送線と接続可能な第４の端子とを含む、請求項８記載の電源アダプタ。
【請求項１０】
前記第１の端子は、前記第２の端子、前記第３の端子、前記第４の端子よりも、前記外装ケースとの距離が近い、請求項９記載の電源アダプタ。
【請求項１１】
前記充電ケーブルは、ＵＳＢケーブルであり、
前記第２のコネクタは、ＵＳＢコネクタである、請求項１０記載の電源アダプタ。
【請求項１２】
前記過電流保護素子は、ヒューズである、請求項８記載の電源アダプタ。
【請求項１３】
前記過電流保護素子は、ポリスイッチである、請求項８記載の電源アダプタ。
【請求項１４】
充電ケーブルと接続可能な電子機器および電源アダプタを備えた充電システムであって、
前記充電ケーブルは、電力線、グランド線、一端に設けられた金属製の第１のプラグケース、他端に設けられた金属製の第２のプラグケース、および前記第１のプラグケースおよび前記第２のプラグケースに接続され、かつ前記電力線および前記グランド線をシールドするシールド部材とを含み、
前記電子機器は、
前記充電ケーブルと接続可能な第１のコネクタを備え、
前記第１のコネクタは、
前記第１のプラグケースと接続可能な金属の外装ケースと、
前記電力線と接続可能な第１の端子と、
前記グランド線と接続可能な第２の端子とを含み、
前記外装ケースとグランド電源との間に設けられた過電流保護素子とを備え、
前記電源アダプタは、
前記充電ケーブルと接続可能な第２のコネクタを備え、
前記第２のコネクタは、
前記第２のプラグケースと接続可能な金属の外装ケースと、
前記電力線と接続可能な第１の端子と、
前記グランド線と接続可能な第２の端子とを含み、
前記外装ケースとグランド電源との間に設けられた過電流保護素子とを備えた、充電システム。
【発明の詳細な説明】
【技術分野】
【０００１】
本開示の実施形態は、電子機器、電源アダプタ、および充電システムに関する。
【背景技術】
【０００２】
従来から、携帯端末などの電子機器を充電ケーブルを用いて充電する方式が知られている。
【０００３】
たとえば、特許文献１（特開２０１０−２８２６３３号公報）には、ホスト装置と電子装置の間を接続する充電ケーブルによってサポートされるＵＳＢ（Universal Serial Bus）などの周辺バスによる電源の供給において、電源アダプタを認識し、周辺バスを介した電源からの利用可能な電力を判定することが開示されている。
【先行技術文献】
【特許文献】
【０００４】
【特許文献１】特開２０１０−２８２６３３号公報
【発明の概要】
【発明が解決しようとする課題】
【０００５】
しかしながら、ＵＳＢコネクタに海水やジュースなどが付着すると、ＵＳＢコネクタ内に異常な電流経理が形成されて、ＵＳＢコネクタが発熱または発火するおそれがある。
【０００６】
それゆえに、本開示の目的は、ＵＳＢコネクタ内に異常な電流が形成された場合に、ＵＳＢコネクタを保護することができる電子機器、電源アダプタ、および充電システムを提供することである。
【課題を解決するための手段】
【０００７】
一実施形態の電子機器は、充電ケーブルと接続可能な電子機器である。充電ケーブルは、電力線、グランド線、一端に設けられた金属製の第１のプラグケース、他端に設けられた金属製の第２のプラグケース、および第１のプラグケースおよび第２のプラグケースに接続され、かつ電力線およびグランド線をシールドするシールド部材とを含み、第２のプラグケースは、電源アダプタに接続可能である。電子機器は、充電ケーブルと接続可能な第１のコネクタを備える。第１のコネクタは、第１のプラグケースと接続可能な金属の外装ケースと、電力線と接続可能な第１の端子と、グランド線と接続可能な第２の端子とを含む。電子機器は、外装ケースとグランド電源との間に設けられた過電流保護素子とを備える。
【発明の効果】
【０００８】
一実施形態によれば、ＵＳＢコネクタ内に異常な電流が形成された場合に、ＵＳＢコネクタを保護することができる。
【図面の簡単な説明】
【０００９】
【図１】充電システムの構成を表わす図である。
【図２】携帯端末の構成を表わす図である。
【図３】携帯端末の外観を表わす図である。
【図４】電源アダプタの構成を表わす図である。
【図５】電源アダプタの外観を表す図である。
【図６】携帯端末のＵＳＢコネクタの形状を表わす図である。
【図７】電源アダプタのＵＳＢコネクタの形状を表わす図である。
【図８】ＵＳＢケーブルの形状を表わす図である。
【図９】携帯端末のＵＳＢコネクタ、ＵＳＢケーブル、および電源アダプタのＵＳＢコネクタの間の電力伝送に関連する簡易回路図である。
【図１０】第１のＵＳＢコネクタを保護するための方式１の簡易回路図である。
【図１１】第１のＵＳＢコネクタを保護するための方式２の簡易回路図である。
【図１２】第１のＵＳＢコネクタを保護するための方式３の簡易回路図である。
【図１３】ユーザに通知する画面を表わす図である。
【図１４】図１２の簡易回路図をより詳細化した図である。
【発明を実施するための形態】
【００１０】
以下、本発明の実施の形態について、図面を用いて説明する。
本実施の形態において、ＵＳＢコネクタおよびＵＳＢケーブルは、マイクロＵＳＢ規格に準拠する。
【００１１】
図１は、充電システム８００の構成を表わす図である。
充電システム８００は、携帯端末１と、電源アダプタ５０と、およびＵＳＢケーブル８０とを備える。携帯端末１と電源アダプタ５０とは、ＵＳＢケーブル８０によって接続可能である。商用電源６００に接続された電源アダプタ５０からの電力が、ＵＳＢケーブル８０を通じて携帯端末１に伝送されることによって、携帯端末１が充電可能である。
【００１２】
図２は、電子機器の一例である携帯端末１の構成を表わす図である。図３は、携帯端末１の外観を表わす図である。
【００１３】
図２を参照して、この携帯端末１は、レシーバ７と、カメラ８と、マイク９８と、近接距離センサ６と、タッチパネル１２と、液晶ディスプレイ１３と、ボタン群１５と、バッテリ１６と、制御部１７と、ＵＳＢ端子部１８、無線通信部３１と、アンテナ３２とを備える。ＵＳＢ端子部１８は、ＵＳＢ制御部１９と、第１のＵＳＢコネクタ５とを含む。
【００１４】
ボタン群１５は、各種の処理のためのユーザの指示操作を受け付ける。
バッテリ１６は、携帯端末１内の構成要素に電力を供給する。
【００１５】
制御部１７は、携帯端末１の全体を制御する。
ＵＳＢ制御部１９は、ＵＳＢ通信を制御する。
【００１６】
第１のＵＳＢコネクタ５は、ＵＳＢケーブル８０と接続可能である。
無線通信部３１は、アンテナ３２を通じて、無線基地局と通信を行なう。
【００１７】
液晶ディスプレイ１３は、制御部１７から出力される画面を表示する。
タッチパネル１２は、ユーザからの入力を受け付ける。
【００１８】
レシーバ７は、制御部１７から出力される通話相手の音声または音楽データの音声などを出力する。
【００１９】
カメラ８は、被写体を撮影する。
マイク９８は、通話相手の音声などを受けて、制御部１７へ出力する。
【００２０】
近接距離センサ６は、近隣の物体の存在を非接触で検出する。近接距離センサ６は、たとえば、液晶ディスプレイ１３が顔に近付けられたことを検出する。
【００２１】
図３に示すように、第１のＵＳＢコネクタ５は、携帯端末１の筐体２の下部に配置される。
【００２２】
レシーバ７、カメラ８、および近接距離センサ６は、携帯端末１の筐体２の正面の上部に配置される。液晶ディスプレイ１３およびタッチパネル１２は、携帯端末１の筐体２の正面の中央に配置される。液晶ディスプレイ１３上にタッチパネル１２が配置される。
【００２３】
ボタン１５Ａ，１５Ｂ，１５Ｃは、携帯端末１の筐体２の正面の下部に配置される。ボタン１５Ｄは、携帯端末１の筐体２の側面の上側に配置される。ボタン１５Ｃは、携帯端末１の筐体２の側面の横側に配置される。ボタン１５Ａは、ホームボタンである。ボタン１５Ｂは、バックボタンである。ボタン１５Ｃは、メニューボタンである。ボタン１５Ｄは、電源オン／オフボタンである。ボタン１５Ｅは、音量アップボタンである。ボタン１５Ｆは、音量ダウンボタンである。第１のＵＳＢコネクタ５は、携帯端末１の筐体の側面の下側に配置される。マイク９８は、携帯端末１の筐体２の正面の下部に配置される。
【００２４】
図４は、電源アダプタ５０の構成を表わす図である。図５は、電源アダプタ５０の外観を表す図である。
【００２５】
図４に示すように、電源アダプタ５０は、電源プラグ５９と、ＡＣ／ＤＣコンバータ５４と、制御部５５３と、ＵＳＢ端子部５５とを備える。ＵＳＢ端子部５５は、ＵＳＢ制御部５６と、第２のＵＳＢコネクタ５１とを備える。
【００２６】
電源プラグ５９は、家庭用のＡＣ電源コンセント１２１に挿入可能である。
ＡＣ／ＤＣコンバータ５４は、ＡＣ電源コンセント１２１、および電源プラグ５９を通じて入力されるＡＣ電圧をＤＣ電圧に変換する。
【００２７】
ＵＳＢ制御部５６は、ＵＳＢ通信を制御する。
第２のＵＳＢコネクタ５１は、ＵＳＢケーブル８０と接続可能である。
【００２８】
制御部５５３は、ＡＣ／ＤＣコンバータ５４およびＵＳＢ端子部５５を制御する。
図６は、携帯端末１の第１のＵＳＢコネクタ５の形状を表わす図である。
【００２９】
図６に示すように、第１のＵＳＢコネクタ５は、金属製のコネクタケース２０と、コネクタケース２０内に配置されたコネクタ本体２２とを備えている。
【００３０】
コネクタケース２０は、ＵＳＢコネクタ５とＵＳＢケーブル８０との嵌合、基板実装によるＵＳＢコネクタ５の強度の強化、ノイズ輻射の抑制、ＥＳＤ（Electrostatic Discharge）の避雷針の役割を有する。
【００３１】
コネクタ本体２２は、導電性の複数の端子６１〜６４を備える。複数の端子６１〜６４は、第１のＵＳＢコネクタ５の後側において、それぞれ回路基板２１上の配線パターン２５１〜２５４と接続される。
【００３２】
電源端子６１は、電力配線パターン２５１と接続される。正信号端子６２は、正信号配線パターン２５２と接続される。負信号端子６３は、負信号配線パターン２５３と接続される。グランド端子６４は、グランド配線パターン２５４と接続される。
【００３３】
電力配線パターン２５１は、給電用の配線パターンであり、正の電源電圧ＶＢＵＳに接続される。正信号配線パターン２５２は、信号伝送用の配線パターンであり、ＵＳＢ制御部１９から出力される差動信号の正側Ｄ＋が伝送される。負信号配線パターン２５３は、信号伝送用の配線パターンであり、ＵＳＢ制御部１９から出力される差動信号の負側Ｄ−が伝送される。グランド配線パターン２５４は、給電用の配線パターンであり、グランド電源に接続される。
【００３４】
複数の端子６１〜６４のうち、電源端子６１が、他の端子よりもコネクタケース２０との距離が近い。
【００３５】
コネクタケース２０は、配線パターン２５５を通じてグランド配線パターン２５４に接続される。このような構成によって、コネクタ本体２２は、外部のノイズや電磁波からシールドされる。
【００３６】
図７は、電源アダプタ５０の第２のＵＳＢコネクタ５１の形状を表わす図である。
図７に示すように、第２のＵＳＢコネクタ５１は、金属製のコネクタケース５２と、コネクタケース５２内に配置されたコネクタ本体５３とを備えている。コネクタ本体５３は、導電性の複数の端子７１〜７４を備える。複数の端子７１〜７４は、第２のＵＳＢコネクタ５１の後側において、それぞれ回路基板５４上の配線パターン１５１〜１５４と接続される。
【００３７】
電源端子７１は、電力配線パターン１５１と接続される。正信号端子７２は、正信号配線パターン１５２と接続される。負信号端子７３は、負信号配線パターン１５３と接続される。グランド端子７４は、グランド配線パターン１５４と接続される。
【００３８】
電力配線パターン１５１は、給電用の配線パターンであり、正の電源電圧ＶＢＵＳに接続される。正信号配線パターン１５２は、信号伝送用の配線パターンであり、ＵＳＢ制御部５６から出力される差動信号の正側Ｄ＋が伝送される。負信号配線パターン１５３は、信号伝送用の配線パターンであり、ＵＳＢ制御部５６から出力される差動信号の負側Ｄ−が伝送される。グランド配線パターン１５４は、給電用の配線パターンであり、グランド電源に接続される。
【００３９】
複数の端子７１〜７４のうち、電源端子７１が、他の端子よりもコネクタケース５１との距離が近い。
【００４０】
コネクタケース５１は、配線パターン１５５を通じてグランド配線パターン１５４に接続される。このような構成によって、コネクタ本体５３は、外部のノイズや電磁波からシールドされる。
【００４１】
図８は、ＵＳＢケーブル８０の形状を表わす図である。
図８に示すように、ＵＳＢケーブル８０は、携帯端末１と接続可能なプラグ部５００と、ケーブル部５１０と、電源アダプタ５０と接続可能なプラグ部５２０とを備える。
【００４２】
プラグ部５００は、金属製のプラグケース８１と、プラグケース８１内に設置されたプラグ本体８２と、プラグケース８１の一端側と接続する絶縁膜部８３とを備える。
【００４３】
プラグ部５２０は、金属製のプラグケース９２と、プラグケース９２内に設置されたプラグ本体９３と、プラグケース９２の一端側と接続する絶縁膜部９１とを備える。
【００４４】
ケーブル部５１０は、金属製のシールド部材であるシールドチューブ８６と、絶縁チューブ８５と、正の信号線８８、負の信号線８９と、電力線８７、グランド線９０とを備える。
【００４５】
金属製のシールドチューブ８６は、プラグケース８１およびプラグ９２と電気的に接続される。
【００４６】
絶縁チューブ８５は、シールドチューブ８６を絶縁被覆する。
正の信号線８８、負の信号線８９、電力線８７、グランド線９０とは、シールドチューブ８６内に配置される。
【００４７】
シールドチューブ８６は、プラグケース８１を介して、携帯端末１の第１のＵＳＢコネクタ５のコネクタケース２０と電気的に接続されてグラウンド（ＧＮＤ）の基準電位に保たれている。シールドチューブ８６は、プラグケース９２を介して、電源アダプタ５０の第２のＵＳＢコネクタ５１のコネクタケース５２と電気的に接続されてグラウンド（ＧＮＤ）の基準電位に保たれている。このような構成によって、正の信号線８８、および負の信号線８９は、ノイズや電磁波からシールドされる。
【００４８】
以下に、携帯端末１の第１のＵＳＢコネクタ５に海水またはジュース等が付着することによって過電流が発生する仕組みと、過電流からＵＳＢコネクタを保護するために考えられる仕組みについて説明する。
【００４９】
図９は、携帯端末の第１のＵＳＢコネクタ５、ＵＳＢケーブル８０、および電源アダプタ５０の第２のＵＳＢコネクタ５１の間の電力伝送に関連する簡易回路図である。
【００５０】
図において、ＣＡＳＥ＿ＧＮＤは、携帯端末１の配線パターン２５５、第１のＵＳＢコネクタ５のコネクタケース２０、ＵＳＢケーブル８０のシールドチューブ８６、電源アダプタ５０の第２のＵＳＢコネクタ５１のコネクタケース５２、配線パターン１５５が接続されたラインを表わす。
【００５１】
ＶＢＵＳは、携帯端末１の電力配線パターン２５１、携帯端末１の第１のＵＳＢコネクタ５の電源端子６１、ＵＳＢケーブル８０の電力線８７、電源アダプタ５０の第２のＵＳＢコネクタ５１の電源端子７１、電源アダプタ５０の電力配線パターン１５１が接続されたラインを表わす。
【００５２】
ＧＮＤは、携帯端末１のグランド配線パターン２５４、携帯端末１の第１のＵＳＢコネクタ５のグランド端子６４、ＵＳＢケーブル８０のグランド線９０、電源アダプタ５０の第２のＵＳＢコネクタ５１のグランド端子７４、電源アダプタ５０のグランド配線パターン１５４が接続されたラインを表わす。
【００５３】
ＣＡＳＥ＿ＧＮＤは、図９に示すように、携帯端末１側と、電源アダプタ５０側でＧＮＤと接続されている。
【００５４】
携帯端末１の第１のＵＳＢコネクタ５に海水またはジュース等が付着すると、携帯端末１の第１のＵＳＢコネクタ５の電源端子６１と、コネクタケース２０との間に異常経路が形成される。これにより、図に示すように、ＶＢＵＳとＣＡＥＥ＿ＧＮＤとが抵抗を介して接続され、ＶＢＵＳ→ＣＡＳＥ→ＧＮＤ→ＧＮＤの経路に過電流が流れる。その結果、第１のＵＳＢコネクタ５が発熱または発火するおそれがある。
【００５５】
第１のＵＳＢコネクタ５を保護するために、図１０と図１１の２つの方式が最初に考えられる。
【００５６】
図１０は、第１のＵＳＢコネクタ５を保護するための方式１の簡易回路図である。図１０に示すように、ＵＳＢケーブル８０の電力線８７に、過電流保護素子としてヒューズを挿入し、過電流が発生すると、ヒューズが溶断して、電力線８７を遮断する。
【００５７】
しかしながら、図１０の方式では、ヒューズが溶断すると、再度、携帯端末１を充電することができなくなる虞がある。この場合、ユーザは、なぜ携帯端末１が充電不可になったのかを知ることができない。電力線８７にヒューズまたはポリスイッチが挿入されたＵＳＢケーブルを用いなければ、過電流を阻止できない。
【００５８】
図１１は、第１のＵＳＢコネクタ５を保護するための方式２の簡易回路図である。
図１１に示すように、第１のＵＳＢコネクタ５の直近にサーミスタ（温度センサ）を設置し、過電流が発生してＵＳＢコネクタの温度が上昇すると、ユーザに異常状態が発生したことを通知する。
【００５９】
しかしながら、図１１では、過電流状態は解消できないため、携帯端末１の充電が不可能となる。過電流状態は解消できないため、ユーザが放置すれば発熱・発火の恐れがある。サーミスタによる温度監視制御が必要であり、消費電流が増える可能性がある。
【００６０】
図１０と図１１における方式は、それぞれ長所と短所とがあり、状況に応じて使い分けるのがよい。
【００６１】
図１２は、図１１と図１２とは異なる方法で、第１のＵＳＢコネクタ５を保護するための簡易回路図である。図１２は方式３の簡易回路図である。
【００６２】
携帯端末１側において、ＣＡＳＥ＿ＧＮＤにヒューズＦ１が挿入されている。具体的には、コネクタケース２０と、グランド配線パターン２５４とを接続する配線パターン２５５上に過電流保護素子としてヒューズＦ１が挿入されている。また、電源アダプタ５０側においても、ＣＡＳＥ＿ＧＮＤにヒューズＦ２が挿入されている。具体的には、コネクタケース５１と、グランド配線パターン１５４とを接続する配線パターン１５５上に過電流保護素子としてヒューズＦ２が挿入されている。
【００６３】
異常経路の形成によって、ＣＡＳＥ＿ＧＮＤに過電流が発生すると、ヒューズＦ１およびＦ２が溶断して、ＣＡＳＥ＿ＧＮＤは、ＧＮＤから切断された状態となる。これによって、過電流は解消され第１のＵＳＢコネクタ５の発熱・発火の恐れはなくなる。さらに、通常の充電経路は維持されているため、携帯端末１の充電が可能である。
【００６４】
コネクタケース２０と、ヒューズＦ１との間のノードＮＤ１は、抵抗Ｒ１を介して制御部１７と接続される。制御部１７と抵抗Ｒ１の間の配線が電源電圧ＶＤＤと接続される。
【００６５】
ヒューズＦ１およびＦ２が正常なときには、ノードＮＤ１は、ＧＮＤと接続しているので、ノードＮＤ１の電圧は、ほぼ０Ｖである。
【００６６】
ＣＡＳＥ＿ＧＮＤに過電流が発生してヒューズＦ１およびＦ２が溶断したときには、ノードＮＤとＧＮＤとの接続は分断されて、ノードＮＤ１の電圧は、電源電圧ＶＤＤとなる。したがって、制御部１７は、図１３に示すように、ノードＮＤ１の電圧が所定の閾値電圧ＶＨ以上の場合に、第１のＵＳＢコネクタ５に海水またはジュース等が付着して異常な経路が形成されたことをユーザに知らせる。
【００６７】
図１４は、図１２の簡易回路図をより詳細化した図である。
図１４に示すように、シールドチューブ８６は、プラグケース８１およびプラグケース９２に接続される。
【００６８】
プラグケース８１の端子４１〜４４は、電力線８７、正の信号線８８、負の信号線８９、グランド線９０と接続される。また、プラグケース９２の端子１４１〜１４４は、電力線８７、正の信号線８８、負の信号線８９、グランド線９０と接続される。
【００６９】
プラグケース８１の端子４１〜４４は、コネクタケース２１の端子６１〜６４にそれぞれ接続される。端子４１は、バッテリ１６に接続される。端子４４は、配線２５５を通じてグランドに接続される。配線２５５上のノードＮＤ２と、コネクタケース２０の間にヒューズＦ１が配置される。コネクタケース２０とヒューズＦ１との間のノードＮＤ１は、抵抗Ｒ１を介して、制御部１７に接続される。また、抵抗Ｒ１は、電源電圧ＶＤＤに接続される。
【００７０】
プラグケース９２の端子１４１〜１４４は、コネクタケース５２の端子７１〜７４にそれぞれ接続される。端子１４１は、ＡＣ／ＤＣコンバータ５４に接続される。端子１４４は、配線１５５を通じてグランドに接続される。配線１５５上のノードＮＤ３と、コネクタケース５１の間にヒューズＦ２が配置される。
【００７１】
以上のように、方式３によれば、ＵＳＢコネクタ内に異常な電流が形成された場合に、コネクタケースとグランドとの間のヒューズが溶断することによって、ＵＳＢコネクタが発熱または発火するのを防止することができる。また、通常の充電経路は維持されるので、携帯端末の充電が可能である。さらに、異常電流が発生し、コネクタケースとグランドとの接続が切断されたことをユーザに通知することができる。
【００７２】
なお、方式３によれば、コネクタケースとグランドとの間の接続が切断されるので、コネクタケースの役割のうち、ノイズ輻射の抑制、ＥＳＤの避雷針の役割を失うが、携帯端末の充電、データの転送において致命的な損失をもたらすものではない。
【００７３】
（変形例）
本実施の形態は、上記の実施形態に限定されるものではなく、たとえば以下のような変形例も含む。
【００７４】
（１）ポリスイッチ
上記の実施形態では、過電流保護素子としてヒューズを用いたが、これに限定するものではない。たとえば、ヒューズの代わりにポリスイッチを用いてもよい。
【００７５】
（２）充電ケーブル
上記の実施形態では、充電ケーブルとしてＵＳＢケーブルを用いたが、これに限定するものではない。電力線、グランド線、一端に設けられた金属製の第１のプラグケース、他端に設けられた第２のプラグケース、および第１のプラグケースおよび第２のプラグケースに接続され、かつ電力線およびグランド線をシールドするシールド部材を含むような充電ケーブルを用いることができる。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
１  携帯端末、２  筐体、５  第１のＵＳＢコネクタ、６  近接距離センサ、７  レシーバ、８  カメラ、１２  タッチパネル、１３  液晶ディスプレイ、１５  ボタン群、１５Ａ  ホームボタン、１５Ｂ  バックボタン、１５Ｃ  メニューボタン、１５Ｄ  電源オン／オフボタン、１５Ｅ  音量アップボタン、１５Ｆ  音量ダウンボタン、１６  バッテリ、１７，１８，５５  ＵＳＢ端子部、１９，５６  ＵＳＢ制御部、２０，５２  コネクタケース、２２，５３  コネクタ本体、３１  無線通信部、３２  アンテナ、４１〜４４，１４１〜１４４  端子、５０  電源アダプタ、５１  ＵＳＢコネクタ、５４  ＡＣ／ＤＣコンバータ、５９  電源プラグ、６１，７１  電源端子、６２，７２  正信号端子、６３，７３  負信号端子、６４，７４  グランド端子、８０  ＵＳＢケーブル、８１，９２  プラグケース、８２，９３  プラグ本体、８３，９１  絶縁膜部、８５  絶縁チューブ、８６  シールドチューブ、８７  電力線、８８  正の信号線、８９  負の信号線、９０  グランド線、９８  マイク、１２１  ＡＣ電源コンセント、１５１，２５１  電力配線パターン、１５２，２５２  正信号配線パターン、１５３，２５３  負信号配線パターン、１５４，２５４  グランド配線パターン、１５５，２５５  配線パターン、５００，５２０  プラグ部、５１０  ケーブル部、５５３  制御部、８００  充電システム。
【図１】
2016139295.tif 000003
【図２】
2016139295.tif 000004
【図３】
2016139295.tif 000005
【図４】
2016139295.tif 000006
【図５】
2016139295.tif 000007
【図６】
2016139295.tif 000008
【図７】
2016139295.tif 000009
【図８】
2016139295.tif 000010
【図９】
2016139295.tif 000011
【図１０】
2016139295.tif 000012
【図１１】
2016139295.tif 000013
【図１２】
2016139295.tif 000014
【図１３】
2016139295.tif 000015
【図１４】
2016139295.tif 000016